(57)【要約】【課題】  両軸受リールのリール本体において、釣人が違和感を感じることなくリールを把持することができるようにするとともに、リール表面の傷つきを防止する。【解決手段】  リールボディ１は、フレーム５と、第１側カバー６及び第２側カバー７と、フレーム５の上部前方にフレーム５と一体成形された前カバー４０と、前カバー４０の両側部後端からそれぞれ後方に延び前カバー４０及びフレーム５と一体成形された第１上カバー４１及び第２上カバー４２とを有している。前カバー４０、第１上カバー４１及び第２上カバー４２の上部の３箇所には、それぞれ第１ガード部材５０、第２ガード部材５１及び第３ガード部材５２が上方に突出して配置されており、その突出量は、０．１ｍｍ以上０．５ｍｍ以下の範囲、望ましくは０．２ｍｍ以上０．３ｍｍ以下の範囲である。【選択図】      図１
2005323544.tif 000002
【特許請求の範囲】
【請求項１】
釣竿に装着される竿取付脚部が下部に設けられ、釣り糸を前方に繰り出すスプールが装着可能な両軸受リールのリール本体であって、
内部に空間が形成され、前記空間に前記スプールが配置され、少なくとも前記スプールの前方上部を覆うリールボディと、
前記リールボディの上部の少なくとも３点を含む部分に上方に突出して配置され、前記リールボディからの突出量が０．１ｍｍ以上０．５ｍｍ以下の範囲であるガード部材と、
を備えた両軸受リールのリール本体。
【請求項２】
前記ガード部材の前記リールボディからの突出量は、０．２ｍｍ以上０．３ｍｍ以下の範囲である、請求項１に記載の両軸受リールのリール本体。
【請求項３】
前記リールボディは、
前記空間に前記スプールが配置されるフレームと、
前記フレームの両側方に装着された第１側カバー及び第２側カバーと、
前記フレームの上部前方に設けられた前カバーとを有しており、
前記ガード部材は、前記前カバー、前記第１側カバー及び前記第２側カバーの上部の少なくとも各３点をそれぞれ含むように配置されている、請求項１又は２に記載の両軸受リールのリール本体。
【請求項４】
前記リールボディは、
前記空間に前記スプールが配置されるフレームと、
前記フレームの両側方に装着された第１側カバー及び第２側カバーと、
前記フレームの上部前方に設けられた前カバーと、
前記前カバーの両側部後端からそれぞれ後方に一体で延びる第１上カバー及び第２上カバーとを有しており、
前記ガード部材は、前記前カバー、前記第１上カバー及び前記第２上カバーの上部の少なくとも各３点をそれぞれ含むように配置されている、請求項１又は２に記載の両軸受リールのリール本体。
【請求項５】
前記前カバーは、前記フレームと一体成形されている、請求項３又は４に記載の両軸受リールのリール本体。
【請求項６】
前記前カバーは、前記フレームと別体で設けられている、請求項３又は４に記載の両軸受リールのリール本体。
【請求項７】
前記ガード部材は、前記リールボディの上部の３箇所にそれぞれ別体で設けられている、請求項１から６のいずれか１項に記載の両軸受リールのリール本体。
【請求項８】
前記ガード部材は、前記リールボディの上部の少なくとも３点を含む部分に連なるように一体成形されている、請求項１から６のいずれか１項に記載の両軸受リールのリール本体。
【請求項９】
前記リールボディは、前記ガード部材の一部が埋設される取付凹部をさらに有している、請求項１から８のいずれか１項に記載の両軸受リールのリール本体。
【請求項１０】
前記ガード部材は、前記取付凹部の内部に塗布された接着剤により固定されている、請求項９に記載の両軸受リールのリール本体。
【請求項１１】
前記ガード部材は、アルミニウム合金、ステンレス合金のいずれかの金属薄板により形成されている、請求項１から１０のいずれか１項に記載の両軸受リールのリール本体。
【請求項１２】
前記リールボディは、外形が側面視非円形になるように形成されている、請求項１から１１のいずれか１項に記載の両軸受リールのリール本体。
【発明の詳細な説明】
【技術分野】
【０００１】
本発明は、リール本体、特に、釣竿に装着される竿取付脚部が下部に設けられ、釣り糸を前方に繰り出すスプールが装着可能な両軸受リールのリール本体に関する。
【背景技術】
【０００２】
両軸受リールは、一般に、釣竿に装着されるリール本体と、リール本体の内部に配置されたスプールと、リール本体の一側に装着されたハンドルとを備えている。リール本体は、フレームと、フレームの前部を覆う前カバーと、フレームの上部を覆うサムレストと、フレームの両側方を覆う１対の第１側カバー及び第２側カバーとを有している。フレームは、１対の第１側板及び第２側板と、第１側板及び第２側板を連結する連結部材とを有している。第１側カバー及び第２側カバーは、第１側板及び第２側板の外方にそれぞれ装着されている。第１側カバーの外方には、ハンドルやスタードラグが装着されている。前カバーは、前後方向に開閉可能に設けられている。サムレストは、第１側カバー及び第２側カバーの上部を覆うように設けられ、サミングを行うときに指を載置するための略Ｕ字状の部材である。
【０００３】
この種の両軸受リールでは、リール本体をアルミニウム合金やマグネシウム合金等の金属により形成し、さらに外観に露出する部分にめっき処理や塗装処理等の表面処理を施したものが知られている（たとえば、特許文献１参照）。このような両軸受リールのリール本体では、前カバー、サムレスト、第１側カバー及び第２側カバーの外側面に表面処理が施されているので、耐食性を向上させたり、外観の美観を向上させることができる。
【特許文献１】特開２０００−８３５２８号公報
【発明の開示】
【発明が解決しようとする課題】
【０００４】
前記従来の両軸受リールのリール本体は、リール本体の外側面に表面処理が施されているので、耐食性を向上させたり、外観の美観を向上させることができる。しかし、リールを釣竿に取り付けた状態で、リールの上部を下側にして釣竿を地面に置くと、リールの上部が地面に接触してしまうことがある。このようにリールの上部が地面に接触すると、特に波止場や岩場等の地面が硬質に形成されているところでは、リール表面が傷ついてリール本体のめっきや塗装が剥離してしまうおそれがある。リール本体のめっきや塗装が剥離すると、特に、マグネシウム合金製のリール本体の場合は、マグネシウム合金部分が腐食雰囲気に晒されて耐食性が低下し、また、外観の美観を損ねてしまうおそれが生じる。
【０００５】
そこで、このような不具合を解消するために、リール本体全体を合成樹脂や布等を材質としたカバー部材を装着することが考えられる。この場合、リールの上部を下側にして釣竿を地面に置いたときにリール表面の傷つきを防止することができる。しかし、釣りを行っているときにもカバー部材が装着されているので、サミングやパーミングを行う際にリールを把持したときに、釣人に違和感を生じさせるおそれがある。
【０００６】
本発明の課題は、両軸受リールのリール本体において、釣人が違和感を感じることなくリールを把持することができるようにするとともに、リール表面の傷つきを防止することにある。
【課題を解決するための手段】
【０００７】
発明１に係る両軸受リールのリール本体は、釣竿に装着される竿取付脚部が下部に設けられ、釣り糸を前方に繰り出すスプールが装着可能な両軸受リールのリール本体であって、内部に空間が形成され空間にスプールが配置され少なくともスプールの前方上部を覆うリールボディと、リールボディの上部の少なくとも３点を含む部分に上方に突出して配置されたガード部材とを備えている。ガード部材のリールボディからの突出量は、０．１ｍｍ以上０．５ｍｍ以下の範囲である。
【０００８】
このリール本体では、リールボディの上部の少なくとも３点を含む部分には、０．１ｍｍ以上０．５ｍｍ以下の範囲で上方に突出するガード部材が設けられている。ここでは、リールボディの上部の少なくとも３点を含む部分、すなわちリールを釣竿に取り付けた状態でリールの上部を下側にして釣竿を地面に置いたときに接地する可能性のある３点を含む部分にガード部材が設けられているので、リールの上部を下側にして釣竿を地面に置いたときに、ガード部材の３点を含む部分が確実に接地されるので、リール表面の傷つきを防止することができる。また、ガード部材のリールボディからの突出量は、比較的微小量である０．１ｍｍ以上０．５ｍｍ以下の範囲であるので、サミングやパーミングを行う際に、釣人が違和感を感じることなくリールを把持することができる。
【０００９】
発明２に係るリール本体は、発明１のリール本体において、ガード部材のリールボディからの突出量は、０．２ｍｍ以上０．３ｍｍ以下の範囲である。この場合、ガード部材のリールボディからの突出量が、適正な０．２ｍｍ以上０．３ｍｍ以下の範囲であるので、ガード部材の形成が容易になるとともに、釣人が違和感を感じにくくなる。
【００１０】
発明３に係るリール本体は、発明１又は２のリール本体において、リールボディは、空間にスプールが配置されるフレームと、フレームの両側方に装着された第１側カバー及び第２側カバーと、フレームの上部前方に設けられた前カバーとを有している。ガード部材は、前カバー、第１側カバー及び第２側カバーの上部の少なくとも各３点をそれぞれ含むように配置されている。この場合、前カバー、第１側カバー及び第２側カバーの上部にガード部材が設けられているので、釣人が違和感を感じることなくリールを把持しながら、リール表面の傷つきを防止できる。
【００１１】
発明４に係るリール本体は、発明１又は２のリール本体において、リールボディは、空間にスプールが配置されるフレームと、フレームの両側方に装着された第１側カバー及び第２側カバーと、フレームの上部前方に設けられた前カバーと、前カバーの両側部後端からそれぞれ後方に一体で延びる第１上カバー及び第２上カバーとを有している。ガード部材は、前カバー、第１上カバー及び第２上カバーの上部の少なくとも各３点をそれぞれ含むように配置されている。この場合、前カバー、第１上カバー及び第２上カバーの上部にガード部材が設けられているので、釣人が違和感を感じることなくリールを把持しながら、リール表面の傷つきを防止できる。
【００１２】
発明５に係るリール本体は、発明３又は４のリール本体において、前カバーは、フレームと一体成形されている。この場合、前カバーとフレームとが一体成形されているので、全体の部品点数を減少させることができる。特に、第１上カバー及び第２上カバーが設けられているときには、前カバー、第１上カバー及び第２上カバーとフレームとが一体成形されているので、さらに全体の部品点数を減少できる。
【００１３】
発明６に係るリール本体は、発明３又は４のリール本体において、前カバーは、フレームと別体で設けられている。この場合、フレームに別体の前カバーが装着されているので、前カバーとフレームとを異なる材質で形成することができる。
【００１４】
発明７に係るリール本体は、発明１から６のいずれかのリール本体において、ガード部材は、リールボディの上部の３箇所にそれぞれ別体で設けられている。この場合、ガード部材の取り付け面積を小さくできる。
【００１５】
発明８に係るリール本体は、発明１から６のいずれかのリール本体において、ガード部材は、リールボディの上部の少なくとも３点を含む部分に連なるように一体成形されている。この場合、全体の部品点数を減少させることができる。
【００１６】
発明９に係るリール本体は、発明１から８のいずれかのリール本体において、リールボディは、ガード部材の一部が埋設される取付凹部をさらに有している。この場合、ガード部材の取り付け強固になる。
【００１７】
発明１０に係るリール本体は、発明９のリール本体において、ガード部材は、取付凹部の内部に塗布された接着剤により固定されている。この場合、ガード部材の取り付けが容易かつ確実になる。
【００１８】
発明１１に係るリール本体は、発明１から１０のいずれかのリール本体において、ガード部材は、アルミニウム合金、ステンレス合金のいずれかの金属薄板により形成されている。この場合、意匠性を向上できるとともに、リール表面の傷つきを防止できる。
【００１９】
発明１２に係るリール本体は、発明１から１１のいずれかのリール本体において、リールボディは、外形が側面視非円形になるように形成されている。この場合、外形が側面視非円形のロープロフィール型のベイトリールにおいて、本発明の効果が顕著になる。
【発明の効果】
【００２０】
本発明によれば、両軸受リールのリール本体において、リールボディの上部の少なくとも３点を含む部分に、０．１ｍｍ以上０．５ｍｍ以下の範囲で上方に突出するガード部材を設けることにより、リール表面の傷つきを防止しながら、釣人が違和感を感じることなくリールを把持することができる。
【発明を実施するための最良の形態】
【００２１】
本発明の一実施形態を採用した両軸受リールは、図１から図４に示すように、ベイトキャスト用の小型の両軸受リールである。この両軸受リールは、図１から図３に示すように、リールボディ１と、リールボディ１の側方に配置されたスプール回転用ハンドル２と、ハンドル２のリールボディ１側に配置されたドラグ調整用のスタードラグ３とを備えている。ハンドル２は、図２に示すように、ハンドル軸３０の先端に固定された板状のハンドルアーム２ａと、ハンドルアーム２ａの両端に回転自在に装着されたハンドル把手２ｂとを有するダブルハンドル型のものである。
【００２２】
リールボディ１は、図１から図４に示すように、たとえばアルミニウム合金またはマグネシウム合金等の金属製の部材であり、フレーム５と、フレーム５の両側方に装着された第１側カバー６及び第２側カバー７と、フレーム５の上部前方にフレーム５と一体成形された前カバー４０と、前カバー４０の両側部後端からそれぞれ後方に延び前カバー４０及びフレーム５と一体成形された第１上カバー４１及び第２上カバー４２とを有している。第１側カバー６の外方には、ハンドル２が装着されている。前カバー４０、第１上カバー４１及び第２上カバー４２の上部の３箇所には、それぞれ第１ガード部材５０、第２ガード部材５１及び第３ガード部材５２が上方に突出して配置されている。なお、リールボディ１、第１ガード部材５０、第２ガード部材５１及び第３ガード部材５２は本発明のリール本体を構成している。
【００２３】
フレーム５は、図１から図３に示すように、所定の間隔をあけて互いに対向するように配置された１対の第１側板８及び第２側板９と、第１側板８及び第２側板９を一体で連結する複数の連結部材１０とを有している。第１側板８の外方には、第１側カバー６が装着され、第２側板９の外方には、第２側カバー７が開閉自在に装着されている。下側の連結部材１０は、図１及び図３に示すように、前後に１対設けられており、リールを釣竿に装着するための前後に長い金属製の竿装着脚部４が固定されている。また、フレーム５は、図３に示すように、フレーム５の上面と竿装着脚部４の下面との間の上下長さＡはフレーム５の釣竿の長手方向に沿った前後長さＢより小さくなっており、いわゆるリール全体を把持可能なロープロフィール型の両軸受リールを構成している。
【００２４】
フレーム５の内部には、図２に示すように、スプール軸２０に支持されたスプール１２と、サミングを行う場合の親指の当てとなるクラッチレバー１７と、スプール１２内に均一に釣り糸を巻くためのレベルワインド機構１８とが配置されている。
【００２５】
フレーム５と第１側カバー６との間には、ハンドル２からの回転力をスプール１２及びレベルワインド機構１８に伝えるためのギア機構１９と、クラッチ機構２１と、クラッチレバー１７の操作に応じてクラッチ機構２１を制御するためのクラッチ制御機構２２と、スプール１２を制動するドラグ機構２３と、スプール１２の回転時の抵抗力を調整するためのキャスティングコントロール機構２４とが配置されている。ギア機構１９は、ハンドル軸３０と、ハンドル軸３０に固定されたメインギア３１と、メインギア３１に噛み合う筒状のピニオンギア３２とを有している。また、フレーム５と第２側カバー７との間には、キャスティング時のバックラッシュを抑えるための遠心ブレーキ機構２５が配置されている。
【００２６】
第１側板８及び第２側板９の外形は、図１から図４に示すように、側面視略楕円形状になるように非円形に形成されており、第１側カバー６及び第２側カバー７の外形は、第１側板８及び第２側板９の外形と同形状になるように形成されている。
【００２７】
第２側板９の中心部よりやや上方には、図３及び図４に示すように、スプール１２を着脱するための円形の開口部１１が形成されている。開口部１１の内周には、スプール軸２０の左端を支持するスプール支持部１３が着脱自在に装着されている。
【００２８】
第２側板９の後部内側には、図１から図４に示すように、第２側カバー７を開閉するための操作レバー１４が揺動自在に露出して装着されている。操作レバー１４は、第１側板８及び第２側板９に支持された揺動軸１５に装着されている。揺動軸１５の先端には、第２側カバー７が固定されており、第２側カバー７は、ばね部材１６により第２側板９から離反する方向に付勢されている。ここでは、操作レバー１４を揺動操作することにより、第２側カバー７を容易に開閉することができる。
【００２９】
前カバー４０、第１上カバー４１及び第２上カバー４２は、図１に示すように、フレーム５の上部にフレーム５と一体成形された略Ｕ字状のアルミニウム合金またはステンレス合金製の部材であり、サミングやパーミングを行う際に把持される、いわゆるサムレストである。前カバー４０、第１上カバー４１及び第２上カバー４２の表面には、アルマイト処理や陽極酸化処理等の表面処理や、めっき処理や、塗装処理等の各種の処理が施されている。前カバー４０、第１上カバー４１及び第２上カバー４２の上部の３箇所には、それぞれ第１ガード部材５０、第２ガード部材５１及び第３ガード部材５２が上方に突出して配置されている。
【００３０】
第１ガード部材５０、第２ガード部材５１及び第３ガード部材５２は、アルミニウム合金またはステンレス合金の金属薄板により形成された３つの板状部材である。第１ガード部材５０、第２ガード部材５１及び第３ガード部材５２の前カバー４０、第１上カバー４１及び第２上カバー４２からの突出量は、０．１ｍｍ以上０．５ｍｍ以下の範囲、望ましくは０．２ｍｍ以上０．３ｍｍ以下の範囲である。第１ガード部材５０、第２ガード部材５１及び第３ガード部材５２は、第１ガード部材５０、第２ガード部材５１及び第３ガード部材５２の外形と同形に形成された図示しない３つの取付凹部に埋設されており、内部に塗布された接着剤により固定されている。第１ガード部材５０は、前カバー４０の長手方向（図１左右方向）に長い長辺形であり、第２ガード部材５１及び第３ガード部材５２は、第１上カバー４１及び第２上カバー４２の長手方向（図１前後方向）に長い長辺形である。第１ガード部材５０、第２ガード部材５１及び第３ガード部材５２は、前カバー４０、第１上カバー４１及び第２上カバー４２の上部において、リールを釣竿に取り付けた状態でリールの上部を下側にして釣竿を地面に置いたときに接地する可能性のある３点を含む部分にそれぞれ取り付けられており、具体的には釣竿から最も離反した位置である３点にそれぞれ取り付けられている。
【００３１】
このような構成の両軸受リールでは、前カバー４０、第１上カバー４１及び第２上カバー４２の上部に第１ガード部材５０、第２ガード部材５１及び第３ガード部材５２が突出して設けられている。したがって、リールを釣竿に取り付けた状態でリールの上部を下側にして釣竿を地面に置いたときに接地する可能性のある３点を含む部分に第１ガード部材５０、第２ガード部材５１及び第３ガード部材５２が設けられているので、リールの上部を下側にして釣竿を地面に置いたときに、第１ガード部材５０、第２ガード部材５１及び第３ガード部材５２の３点を含む部分が確実に接地されるので、リール表面の傷つきを防止することができる。また、第１ガード部材５０、第２ガード部材５１及び第３ガード部材５２の前カバー４０、第１上カバー４１及び第２上カバー４２からの突出量は、比較的微小量である０．１ｍｍ以上０．５ｍｍ以下の範囲、望ましくは０．２ｍｍ以上０．３ｍｍ以下の範囲であるので、サミングやパーミングを行う際に、釣人が違和感を感じることなくリールを把持することができる。
【００３２】
〔他の実施形態〕
（ａ）  前記実施形態では、外形が非円形のロープロフィール型の両軸受リールを例に説明したが、両軸受リールの形状はこれに限定されるものではなく、すべての両軸受リールに本発明を適用できる。
【００３３】
（ｂ）  前記実施形態では、第１ガード部材５０、第２ガード部材５１及び第３ガード部材５２は、前カバー４０、第１上カバー４１及び第２上カバー４２の上部の３箇所に別体で設けられていたが、図５に示すように、第１ガード部材５０、第２ガード部材５１及び第３ガード部材５２を略Ｕ字状に一体成形してもよい。また、第１ガード部材５０、第２ガード部材５１及び第３ガード部材５２は、リールを釣竿に取り付けた状態でリールの上部を下側にして釣竿を地面に置いたときに接地する可能性のある３点を含む部分に取り付けられていれば、任意の形状に形成できる。
【００３４】
（ｃ）  前記実施形態では、第１ガード部材５０、第２ガード部材５１及び第３ガード部材５２は、前カバー４０、第１上カバー４１及び第２上カバー４２の上部に設けられていたが、図６に示すように、第１上カバー及び第２上カバーを有さない構成において、第１ガード部材５０、第２ガード部材５１及び第３ガード部材５２を前カバー４０、第１側カバー６及び第２側カバー７の上部に設ける構成にしてもよい。また、第１ガード部材５０、第２ガード部材５１及び第３ガード部材５２は、フレーム５を含むリールボディ１の上部の任意の位置に配置できる。
【００３５】
（ｄ）  前記実施形態では、第１ガード部材５０、第２ガード部材５１及び第３ガード部材５２は、アルミニウム合金またはステンレス合金の金属薄板であったが、材質はこれに限定されず、合成樹脂等からなる薄板により形成してもよい。また、第１ガード部材５０、第２ガード部材５１及び第３ガード部材５２の固定方法は、接着剤によるものに限定されず、たとえば取付凹部に圧入したり、リールボディ１の裏面側から固定するようにしてもよい。あるいは、第１ガード部材５０、第２ガード部材５１及び第３ガード部材５２をリールボディ１と一体成形する構成にしてもよい。
【００３６】
（ｅ）  前記実施形態では、前カバー４０、第１上カバー４１及び第２上カバー４２はフレーム５と一体成形されていたが、前カバー４０、第１上カバー４１及び第２上カバー４２とフレーム５とを別体で形成してもよい。この場合、前カバー４０、第１上カバー４１及び第２上カバー４２を略Ｕ字状に一体成形してもよいし、前カバー４０と第１上カバー４１及び第２上カバー４２とを別体で設けてもよい。また、前カバー４０とフレーム５とを一体成形し、第１上カバー４１及び第２上カバー４２とフレーム５とを別体で形成してもよい。
【図面の簡単な説明】
【００３７】
【図１】本発明の一実施形態を採用した両軸受リールの平面図。
【図２】前記両軸受リールの背面図。
【図３】前記両軸受リールの平面断面図。
【図４】前記両軸受リールの側面図。
【図５】他の実施形態の図１に相当する図。
【図６】他の実施形態の図１に相当する図。
【符号の説明】
【００３８】
１  リールボディ
２  ハンドル
４  竿装着脚部
５  フレーム
６  第１側カバー
７  第２側カバー
８  第１側板
９  第２側板
１０  連結部材
１１  開口部
１２  スプール
４０  前カバー
４１  第１上カバー
４２  第２上カバー
５０  第１ガード部材
５１  第２ガード部材
５２  第３ガード部材
【図１】
2005323544.tif 000003
【図２】
2005323544.tif 000004
【図３】
2005323544.tif 000005
【図４】
2005323544.tif 000006
【図５】
2005323544.tif 000007
【図６】
2005323544.tif 000008